(57)【要約】【課題】半導体レーザアレイの各発光点から出射される各レーザ光を平行光に変換しつつ同軸化した場合と同等の効果が得られるコンパクトな複数レーザ同軸化光源装置を得る。【解決手段】１つのコリメータレンズ１３と、複数の発光点１２Ｒ，１２Ｇ，１２Ｂを有する半導体レーザアレイ１１と、各発光点１２Ｒ，１２Ｇ，１２Ｂを選択的に所定のタイミングでパルス点灯させるパルス点灯制御手段１４と、パルス点灯のタイミングに合せて、該パルス点灯により出射される各レーザ光の軸Ｃ１２Ｒ，Ｃ１２Ｇ，Ｃ１２Ｂ上に光軸Ｃ１３が位置するように、コリメータレンズ１３と半導体レーザアレイ１１との相対位置を変更する相対位置制御手段１５とを設ける。コリメータレンズ１３により各レーザ光を平行光にそれぞれ変換するとともに、各レーザ光の通過領域の重なり部分において、各レーザ光を擬似的に同軸化する。【選択図】図１
2011165715.tif 000002
【特許請求の範囲】
【請求項１】
コリメータレンズと、
該コリメータレンズの光軸に対し垂直な方向に互いに離間した複数の発光点を有する半導体レーザアレイと、
前記複数の発光点を選択的に所定のタイミングでパルス点灯させるパルス点灯制御手段と、
前記パルス点灯のタイミングに合せて、該パルス点灯により出射される各レーザ光の軸上に前記コリメータレンズの光軸が位置するように、該コリメータレンズと前記半導体レーザアレイとの相対位置を変更する相対位置制御手段と、を備え、
前記コリメータレンズにより前記各レーザ光を平行光にそれぞれ変換するとともに、該各レーザ光の通過領域の重なり部分において、該各レーザ光を擬似的に同軸化することを特徴とする複数レーザ同軸化光源装置。
【請求項２】
前記各レーザ光の軸と前記コリメータレンズの光軸との間に、スペックルノイズを低減させるランダムなずれ量を生ぜしめる軸ずれ制御手段を備えていることを特徴とする請求項１記載の複数レーザ同軸化光源装置。
【請求項３】
前記半導体レーザアレイは、前記コリメータレンズの光軸方向についても前記複数の発光点が互いに離間して配置されたものであることを特徴とする請求項１または２記載の複数レーザ同軸化光源装置。
【請求項４】
前記相対位置制御手段による前記コリメータレンズと前記半導体レーザアレイとの相対位置の変更は、パルス点灯された発光点と該コリメータレンズとの光軸方向の距離が、該複数の発光点毎に異なる所定の各距離となるように行われるものであることを特徴とする請求項１〜３のうちいずれか１項記載の複数レーザ同軸化光源装置。
【請求項５】
前記複数の発光点は、赤色波長域のレーザ光を出射する第１の発光点と、緑色波長域のレーザ光を出射する第２の発光点と、青色波長域のレーザ光を出射する第３の発光点と、を含んでなることを特徴とする請求項１〜４のうちいずれか１項記載の複数レーザ同軸化光源装置。
【発明の詳細な説明】
【技術分野】
【０００１】
本発明は、複数の発光点を有する半導体レーザアレイを用いた光源装置に関し、特に、小型なプロジェクタの光源装置として用いるのに好適な複数レーザ同軸化光源装置に関する。
【背景技術】
【０００２】
近年、携帯電話に搭載し得るような極小サイズのプロジェクタの開発が進められており、このような小型なプロジェクタの光源として、小型で安定した出力が得られる半導体レーザアレイが注目されている（下記特許文献１参照）。
【０００３】
このような半導体レーザアレイには、複数のレーザ光を１つのＬＤチップで出力することができるモノリシック型と称されるタイプと、複数のＬＤチップを１パッケージ化したハイブリッド型と称されるタイプとが知られているが、どちらのタイプも、複数の発光点が光軸（出射されるレーザ光の軸）に対し垂直な方向に僅かながら（数十μｍ〜数百μｍ程度）互いに離間して配置されているという特徴がある。
【先行技術文献】
【特許文献】
【０００４】
【特許文献１】特開２００１−３２０１３１号公報
【発明の概要】
【発明が解決しようとする課題】
【０００５】
上述の半導体レーザアレイは非常にコンパクトに構成することが可能であるので、Ｒ（赤色）、Ｇ（緑色）、Ｂ（青色）の各レーザ光を出力する複数の発光点を備えた半導体レーザアレイを構成することができれば、カラー画像を投影するプロジェクタの光源として好適なものとなることが期待される。
【０００６】
プロジェクタの光源として半導体レーザアレイを用いる場合、複数の発光点から発散光として出射される各レーザ光を平行光に変換するとともに、コリメートされた各レーザ光の軸を互いに一致させる（同軸化する）ことが、光の利用効率を高め得るという観点から要望されている。
【０００７】
しかしながら、半導体レーザアレイにおける複数の発光点は、互いに離間しつつも非常に近接して配置されているため、各々の発光点から出射される各レーザ光をコリメートしつつ互いに同軸化する光学系を構成することは難しい。複数の発光点の互いの離間距離を長くすれば、そのような光学系を構成することも可能となるが、それでは、半導体レーザアレイのコンパクト性の利点が損なわれることとなる。
【０００８】
本発明は、このような事情に鑑みなされたものであり、半導体レーザアレイにおける複数の発光点から出射される各レーザ光を平行光に変換しつつ同軸化した場合と同等の効果が得られ、かつコンパクトに構成し得る複数レーザ同軸化光源装置を提供することを目的とする。
【課題を解決するための手段】
【０００９】
上記目的を達成するため、本発明に係る複数レーザ同軸化光源装置は、
コリメータレンズと、
該コリメータレンズの光軸に対し垂直な方向に互いに離間した複数の発光点を有する半導体レーザアレイと、
前記複数の発光点を選択的に所定のタイミングでパルス点灯させるパルス点灯制御手段と、
前記パルス点灯のタイミングに合せて、該パルス点灯により出射される各レーザ光の軸上に前記コリメータレンズの光軸が位置するように、該コリメータレンズと前記半導体レーザアレイとの相対位置を変更する相対位置制御手段と、を備え、
前記コリメータレンズにより前記各レーザ光を平行光にそれぞれ変換するとともに、該各レーザ光の通過領域の重なり部分において、該各レーザ光を擬似的に同軸化することを特徴とする。
【００１０】
本発明において、前記各レーザ光の軸と前記コリメータレンズの光軸との間に、スペックルノイズを低減させるランダムなずれ量を生ぜしめる軸ずれ制御手段を備えることができる。
【００１１】
また、前記半導体レーザアレイは、前記コリメータレンズの光軸方向についても前記複数の発光点が互いに離間して配置されたものであるとすることができる。
【００１２】
また、前記相対位置制御手段による前記コリメータレンズと前記半導体レーザアレイとの相対位置の変更は、パルス点灯された発光点と該コリメータレンズとの光軸方向の距離が、該複数の発光点毎に異なる所定の各距離となるように行われるものであるとすることができる。
【００１３】
また、前記複数の発光点は、赤色波長域のレーザ光を出射する第１の発光点と、緑色波長域のレーザ光を出射する第２の発光点と、青色波長域のレーザ光を出射する第３の発光点と、を含んでなるものとすることができる。
【発明の効果】
【００１４】
本発明に係る複数レーザ同軸化光源装置は、上述の特徴を備えていることにより、以下のような作用効果を奏する。
【００１５】
すなわち、本発明の複数レーザ同軸化光源装置によれば、複数の発光点を選択的にパルス点灯させながら、そのパルス点灯のタイミングに合せて、パルス点灯により出射される各レーザ光の軸上にコリメータレンズが順次配置され、各レーザ光を平行光に変換するので、複数の発光点が互いに近接した位置に配置されていても、各レーザ光を良好にコリメートすることが可能となる。
【００１６】
また、本発明の複数レーザ同軸化光源装置は、コリメートされた各レーザ光を完全に同軸化するのではなく、各レーザ光の通過領域の重なり部分において、各レーザ光を擬似的に同軸化するものであるので、各レーザ光を完全に同軸化するための光学系を設置する必要がなく、このためコンパクトに構成することが可能となる。しかも、コリメートされた各レーザ光の通過領域の重なり部分においては、この重なり部分を通過する各レーザ光を、同軸上に位置する各発光点から出射されたものとみなすことができるので、各レーザ光を完全に同軸化した場合と同等に、各レーザ光の利用効率を高めることが可能となる。
【図面の簡単な説明】
【００１７】
【図１】第１実施形態に係る複数レーザ同軸化光源装置の概略構成図である。
【図２】第１実施形態における各レーザ光の通過領域を示す概略図である。
【図３】第２実施形態に係る複数レーザ同軸化光源装置の概略構成図である。
【図４】半導体レーザアレイの他の態様を示す概略図である。
【図５】第３実施形態に係る複数レーザ同軸化光源装置の概略構成図である。
【図６】第４実施形態に係る複数レーザ同軸化光源装置の概略構成図である。
【図７】第４実施形態における複数の発光点の配列（Ａ）と、各レーザ光の通過領域（Ｂ）を示す概略図である。
【発明を実施するための形態】
【００１８】
以下、本発明の実施形態について、上述の図面を参照しながら詳細に説明する。なお、実施形態の説明に使用する各図は概略的な説明図であり、詳細な形状や構造を示すものではなく、各部材の大きさや部材間の距離等については適宜変更して示してある。
【００１９】
〈第１実施形態〉
第１実施形態に係る複数レーザ同軸化光源装置１０は、図１に示すように、１つのコリメータレンズ１３と、このコリメータレンズ１３の光軸Ｃ１３に対し垂直な方向（図中左右方向）に互いに離間した複数（３個）の発光点（１２Ｒ，１２Ｇ，１２Ｂ）を有する半導体レーザアレイ１１と、これら複数の発光点（１２Ｒ，１２Ｇ，１２Ｂ）を選択的に所定のタイミングでパルス点灯させるパルス点灯制御手段１４と、このパルス点灯のタイミングに合せて、該パルス点灯により出射される各レーザ光の軸（Ｃ１２Ｒ，Ｃ１２Ｇ，Ｃ１２Ｂ）上にコリメータレンズ１３の光軸Ｃ１３が位置するように、コリメータレンズ１３と半導体レーザアレイ１１との相対位置を変更する相対位置制御手段１５と、各レーザ光の軸（Ｃ１２Ｒ，Ｃ１２Ｇ，Ｃ１２Ｂ）とコリメータレンズ１３の光軸Ｃ１３との間に、スペックルノイズを低減させるランダムなずれ量を生ぜしめる軸ずれ制御手段１６と、を備えてなる。
【００２０】
上記半導体レーザアレイ１１は、赤色波長域のレーザ光を出射する第１の発光点１２Ｒと、緑色波長域のレーザ光を出射する第２の発光点１２Ｇと、青色波長域のレーザ光を出射する第３の発光点１２Ｂとを備えた３波長出力タイプの半導体レーザアレイであり、第１乃至第３の発光点１２Ｒ，１２Ｇ，１２Ｂが、図中左右方向に延びる直線上に配列されている。なお、第１の発光点１２Ｒと第２の発光点１２Ｇとの離間距離および第２の発光点１２Ｇと第３の発光点１２Ｂとの離間距離は、例えば、２００μｍ程度とされる。
【００２１】
上記コリメータレンズ１３は、第１乃至第３の発光点１２Ｒ，１２Ｇ，１２Ｂからそれぞれ出射される各レーザ光に対して色消し処理されたもので、図示せぬ保持機構により、図中左右方向に往複動可能に保持されている。
【００２２】
上記パルス点灯制御手段１４は、例えば、点灯タイミングを決定するパルス信号を発生させる回路や、発生されたパルス信号のタイミングに応じて半導体レーザアレイ１１の駆動電流を制御する回路等からなり、第１乃至第３の発光点１２Ｒ，１２Ｇ，１２Ｂを所定のタイミングで順次パルス点灯させるようになっている。パルス点灯のタイミングについては、当該複数レーザ同軸化光源装置１０の使用目的によって異なるが、小型なプロジェクタの光源装置として用いられる場合には、例えば、数ミリ秒から数十ミリ秒の間に数十から数百回程度、各レーザ光が出射されるように設定される。
【００２３】
上記相対位置制御手段１５は、例えば、コリメータレンズ１３の駆動部（例えば、ピエゾ素子およびその駆動ドライバまたはパルスモータ等からなる。図示略）に対し付与する電流や電圧を、上記パルス点灯制御手段１４により制御される点灯タイミングに同期して制御することにより、第１の発光点１２Ｒのパルス点灯時には、該第１の発光点１２Ｒから出射されるレーザ光の軸Ｃ１２Ｒ上にコリメータレンズ１３の光軸Ｃ１３が位置するように、第２の発光点１２Ｇのパルス点灯時には、該第２の発光点１２Ｇから出射されるレーザ光の軸Ｃ１２Ｇ上に光軸Ｃ１３が位置するように、第３の発光点１２Ｂのパルス点灯時には、該第３の発光点１２Ｂから出射されるレーザ光の軸Ｃ１２Ｂ上に光軸Ｃ１３が位置するように、半導体レーザアレイ１１に対するコリメータレンズ１３の相対位置を順次変更する。
【００２４】
上記軸ずれ制御手段１６は、例えば、乱数発生回路を備え、該乱数発生回路により発生された乱数に基づき、上記相対位置制御手段１５によるコリメータレンズ１３の駆動部に対する制御量を調整することにより、第１乃至第３の発光点１２Ｒ，１２Ｇ，１２Ｂからそれぞれ出射される各レーザ光の軸Ｃ１２Ｒ，Ｃ１２Ｇ，Ｃ１２Ｂとコリメータレンズ１３の光軸Ｃ１３との間に、スペックルノイズを低減させるランダムなずれ量を生ぜしめるようになっている。各レーザ光の軸Ｃ１２Ｒ，Ｃ１２Ｇ，Ｃ１２Ｂとコリメータレンズ１３の光軸Ｃ１３との間のずれ量の大きさについては、当該複数レーザ同軸化光源装置１０の使用目的によって異なるが、例えば、小型なプロジェクタの光源装置として用いられる場合には、数μｍ以下の大きさとなるように設定される。なお、スペックルノイズの低減を必須としないような場合には、軸ずれ制御手段１６を設けずに、各レーザ光の軸Ｃ１２Ｒ，Ｃ１２Ｇ，Ｃ１２Ｂとコリメータレンズ１３の光軸Ｃ１３との位置合わせを毎回精密に行うようにしてもよい。
【００２５】
この複数レーザ同軸化光源装置１０では、半導体レーザアレイ１１の第１乃至第３の発光点１２Ｒ，１２Ｇ，１２Ｂから、所定のタイミングで選択的に順次各レーザ光が出射され、そのタイミングに合せて各レーザ光の軸Ｃ１２Ｒ，Ｃ１２Ｇ，Ｃ１２Ｂ上にコリメータレンズ１３が順次配置されることにより、各レーザ光が平行光に変換される。コリメートされた各レーザ光は完全に同軸化されるのではなく、図２に示すように、第１の発光点１２Ｒから出射されるレーザ光の通過領域Ａ１２Ｒと、第２の発光点１２Ｇから出射されるレーザ光の通過領域Ａ１２Ｇと、第３の発光点１２Ｂから出射されるレーザ光の通過領域Ａ１２Ｂとの重なり部分Ｐ１において、擬似的に同軸化される。すなわち、この重なり部分Ｐ１を通過する各レーザ光は、同軸上に位置する各発光点から出射されたものとみなすことができるので、この重なり部分Ｐ１を通過する各レーザ光を、複数レーザ同軸化光源装置１０からの出力光とすることによって（重なり部分Ｐ１を通過する各レーザ光のみを出力するようなアパーチャを設けるようにしてもよい）、各レーザ光を完全に同軸化した場合と同等に、各レーザ光の利用効率を高めることが可能となる。
【００２６】
また、この複数レーザ同軸化光源装置１０では、第１乃至第３の発光点１２Ｒ，１２Ｇ，１２Ｂからそれぞれ出射される各レーザ光の軸Ｃ１２Ｒ，Ｃ１２Ｇ，Ｃ１２Ｂとコリメータレンズ１３の光軸Ｃ１３との位置合せを行う際に、軸間にランダムなずれ量を生ぜしめるように構成されていることにより、レーザ光を用いる場合（特に投影光として用いる場合）に懸念されるスペックルノイズを低減することが可能となる。
【００２７】
〈第２実施形態〉
第２実施形態に係る複数レーザ同軸化光源装置２０は、図３に示すように、１つのコリメータレンズ２３と、このコリメータレンズ２３の光軸Ｃ２３に対し垂直な方向（図中左右方向）に互いに離間した複数（３個）の発光点（２２Ｒ，２２Ｇ，２２Ｂ）を有する半導体レーザアレイ２１と、これら複数の発光点（２２Ｒ，２２Ｇ，２２Ｂ）を選択的に所定のタイミングでパルス点灯させるパルス点灯制御手段２４と、このパルス点灯のタイミングに合せて、該パルス点灯により出射される各レーザ光の軸（Ｃ２２Ｒ，Ｃ２２Ｇ，Ｃ２２Ｂ）上にコリメータレンズ２３の光軸Ｃ２３が位置するように、コリメータレンズ２３と半導体レーザアレイ２１との相対位置を変更する相対位置制御手段２５と、各レーザ光の軸（Ｃ２２Ｒ，Ｃ２２Ｇ，Ｃ２２Ｂ）とコリメータレンズ２３の光軸Ｃ２３との間に、スペックルノイズを低減させるランダムなずれ量を生ぜしめる軸ずれ制御手段２６と、を備えてなる。
【００２８】
上記半導体レーザアレイ２１は、赤色波長域のレーザ光を出射する第１の発光点２２Ｒと、緑色波長域のレーザ光を出射する第２の発光点２２Ｇと、青色波長域のレーザ光を出射する第３の発光点２２Ｂとを備えた３波長出力タイプの半導体レーザアレイであり、第１乃至第３の発光点２２Ｒ，２２Ｇ，２２Ｂが、階段状に形成された、半導体レーザアレイ２１の出射端面の各段部にそれぞれ配列されている。
【００２９】
このように第１乃至第３の発光点２２Ｒ，２２Ｇ，２２Ｂは、コリメータレンズ２３の光軸Ｃ２３に対し垂直な方向のみならず、光軸Ｃ２３に平行な方向についても互いに離間して配置されており、第１乃至第３の発光点２２Ｒ，２２Ｇ，２２Ｂとコリメータレンズ２３との光軸Ｃ２３方向の距離が、互いに異なるように設定されている。第１乃至第３の発光点２２Ｒ，２２Ｇ，２２Ｂの光軸Ｃ２３方向の離間距離は、該第１乃至第３の発光点２２Ｒ，２２Ｇ，２２Ｂからそれぞれ出射される各レーザ光の波長差に起因する、コリメータレンズ２３の色収差（特に軸上色収差）を補正し得る距離に設定される。すなわち、この第２実施形態においては、第１乃至第３の発光点２２Ｒ，２２Ｇ，２２Ｂを光軸Ｃ２３方向に互いに離間させることにより、コリメータレンズ２３に対する色消し処理だけでは補正しきれない色収差を良好に補正することが可能となっている。なお、図４に示すように、半導体レーザアレイ２１の出射端面を斜めに形成し、その傾斜面に第１乃至第３の発光点２２Ｒ，２２Ｇ，２２Ｂを配置することにより、同様の効果を得るようにすることも可能である。
【００３０】
この第２実施形態において、コリメータレンズ２３、パルス点灯制御手段２４、相対位置制御手段２５および軸ずれ制御手段２６の構成は、上記第１実施形態のコリメータレンズ１３、パルス点灯制御手段１４、相対位置制御手段１５および軸ずれ制御手段１６と同様であり、また、奏される作用効果も同様であるので、詳細な説明は省略する。
【００３１】
〈第３実施形態〉
第３実施形態に係る複数レーザ同軸化光源装置３０は、図５に示すように、１つのコリメータレンズ３３と、このコリメータレンズ３３の光軸Ｃ３３に対し垂直な方向（図中左右方向）に互いに離間した複数（３個）の発光点（３２Ｒ，３２Ｇ，３２Ｂ）を有する半導体レーザアレイ３１と、これら複数の発光点（３２Ｒ，３２Ｇ，３２Ｂ）を選択的に所定のタイミングでパルス点灯させるパルス点灯制御手段３４と、このパルス点灯のタイミングに合せて、該パルス点灯により出射される各レーザ光の軸（Ｃ３２Ｒ，Ｃ３２Ｇ，Ｃ３２Ｂ）上にコリメータレンズ３３の光軸Ｃ３３が位置するように、コリメータレンズ３３と半導体レーザアレイ３１との相対位置を変更する相対位置制御手段３５と、各レーザ光の軸（Ｃ３２Ｒ，Ｃ３２Ｇ，Ｃ３２Ｂ）とコリメータレンズ３３の光軸Ｃ３３との間に、スペックルノイズを低減させるランダムなずれ量を生ぜしめる軸ずれ制御手段３６と、を備えてなる。
【００３２】
上記半導体レーザアレイ３１は、赤色波長域のレーザ光を出射する第１の発光点３２Ｒと、緑色波長域のレーザ光を出射する第２の発光点３２Ｇと、青色波長域のレーザ光を出射する第３の発光点３２Ｂとを備えた３波長出力タイプの半導体レーザアレイであり、第１乃至第３の発光点３２Ｒ，３２Ｇ，３２Ｂが、上記第１実施形態の半導体レーザアレイ１１と同様に、図中左右方向に延びる直線上に配列されている。
【００３３】
上記コリメータレンズ３３は、第１乃至第３の発光点３２Ｒ，３２Ｇ，３２Ｂからそれぞれ出射される各レーザ光に対して色消し処理されたもので、図示せぬ保持機構により、コリメータレンズ３３の光軸Ｃ３３に対して斜めの方向に往復動可能に保持されている。すなわち、このコリメータレンズ３３は、第１乃至第３の発光点３２Ｒ，３２Ｇ，３２Ｂのパルス点灯のタイミングに合せて、各レーザ光の軸Ｃ３２Ｒ，Ｃ３２Ｇ，Ｃ３２Ｂ上に位置するともに、軸Ｃ３２Ｒ上に位置するときのコリメータレンズ３３から第１の発光点３２Ｒまでの光軸Ｃ２３方向の距離（以下「第１距離」と称する）と、軸Ｃ３２Ｇ上に位置するときのコリメータレンズ３３から第２の発光点３２Ｇまでの光軸Ｃ２３方向の距離（以下「第２距離」と称する）と、軸Ｃ３２Ｂ上に位置するときのコリメータレンズ３３から第３の発光点３２Ｂまでの光軸Ｃ３３方向の距離（以下「第３距離」と称する）とが、互いに異なるように構成されている。
【００３４】
これらの第１距離、第２距離および第３距離は、第１乃至第３の発光点３２Ｒ，３２Ｇ，３２Ｂからそれぞれ出射される各レーザ光の波長差に起因する、コリメータレンズ１３の色収差（特に軸上色収差）を補正し得る距離に設定される。すなわち、この第３実施形態においては、各レーザ光の軸Ｃ３２Ｒ，Ｃ３２Ｇ，Ｃ３２Ｂ上に位置するときのコリメータレンズ３３と第１乃至第３の発光点３２Ｒ，３２Ｇ，３２Ｂとの光軸Ｃ３３方向の距離（第１乃至第３距離）を互いに異なるように設定することにより、コリメータレンズ３３に対する色消し処理だけでは補正しきれない色収差を良好に補正することが可能となっている。
【００３５】
この第３実施形態において、パルス点灯制御手段３４、相対位置制御手段３５および軸ずれ制御手段３６の構成は、上記第１実施形態のパルス点灯制御手段１４、相対位置制御手段１５および軸ずれ制御手段１６と同様であり、また、奏される作用効果も同様であるので、詳細な説明は省略する。
【００３６】
〈第４実施形態〉
第４実施形態に係る複数レーザ同軸化光源装置４０は、図６に示すように、１つのコリメータレンズ４３と、このコリメータレンズ４３の光軸Ｃ４３に対し垂直な方向（図中左右方向）に互いに離間した複数（３個）の発光点（４２Ｒ，４２Ｇ，４２Ｂ）を有する半導体レーザアレイ４１と、これら複数の発光点（４２Ｒ，４２Ｇ，４２Ｂ）を選択的に所定のタイミングでパルス点灯させるパルス点灯制御手段４４と、このパルス点灯のタイミングに合せて、該パルス点灯により出射される各レーザ光の軸（Ｃ４２Ｒ，Ｃ４２Ｇ，Ｃ４２Ｂ）上にコリメータレンズ４３の光軸Ｃ４３が位置するように、コリメータレンズ４３と半導体レーザアレイ４１との相対位置を変更する相対位置制御手段４５と、各レーザ光の軸（Ｃ４２Ｒ，Ｃ４２Ｇ，Ｃ４２Ｂ）とコリメータレンズ４３の光軸Ｃ４３との間に、スペックルノイズを低減させるランダムなずれ量を生ぜしめる軸ずれ制御手段４６と、を備えてなる。
【００３７】
上記半導体レーザアレイ４１は、赤色波長域のレーザ光を出射する第１の発光点４２Ｒと、緑色波長域のレーザ光を出射する第２の発光点４２Ｇと、青色波長域のレーザ光を出射する第３の発光点４２Ｂとを備えた３波長出力タイプの半導体レーザアレイであり、第１乃至第３の発光点４２Ｒ，４２Ｇ，４２Ｂが、図７（Ａ）に示すように、正三角形の各頂点上に配列されている。
【００３８】
上記コリメータレンズ４３は、第１乃至第３の発光点４２Ｒ，４２Ｇ，４２Ｂからそれぞれ出射される各レーザ光に対して色消し処理されたもので、図示せぬ保持機構により、コリメータレンズ４３の光軸Ｃ４３に対して垂直な平面内において回転移動可能に保持されている。すなわち、このコリメータレンズ４３は、第１乃至第３の発光点４２Ｒ，４２Ｇ，４２Ｂのパルス点灯のタイミングに合せて、各レーザ光の軸Ｃ４２Ｒ，Ｃ４２Ｇ，Ｃ４２Ｂ上に位置する際に、所定の円軌道上を移動するように構成されている。
【００３９】
この第４実施形態において、パルス点灯制御手段４４、相対位置制御手段４５および軸ずれ制御手段４６の構成は、上記第１実施形態のパルス点灯制御手段１４、相対位置制御手段１５および軸ずれ制御手段１６と同様であるので、詳細な説明は省略する。また、奏される作用効果も同様であるが、コリメータレンズ４３によりコリメートされた後の、第１乃至第３の発光点４２Ｒ，４２Ｇ，４２Ｂからの各レーザ光の通過領域の重なり状態が異なっている。すなわち、この第４実施形態では、コリメータレンズ４３によりコリメートされた後の、第１の発光点４２Ｒから出射されるレーザ光の通過領域Ａ４２Ｒと、第２の発光点４２Ｇから出射されるレーザ光の通過領域Ａ４２Ｇと、第３の発光点４２Ｂから出射されるレーザ光の通過領域Ａ４２Ｂとの重なり部分Ｐ２が、図７（Ｂ）に示すように形成され、コリメートされた各レーザ光は、この重なり部分Ｐ２において擬似的に同軸化される。
【００４０】
以上、本発明の実施形態について説明したが、本発明は上述の実施形態に限定されるものではなく、種々に態様を変更することが可能である。
【００４１】
例えば、上述の各実施形態では、半導体レーザアレイ（１１，２１，３１，４１）を３波長出力タイプとしているが、２波長出力タイプや４波長以上の多波長出力タイプとすることも可能である。また、互いに同一波長のレーザ光を出射する複数の発光点を備えた半導体レーザアレイを用いることも可能である。
【００４２】
また、本発明の複数レーザ同軸化光源装置は、小型なプロジェクタの光源装置に用途が限定されるものではなく、光ピックアップ装置や干渉計等の測定装置など、他の種々の光学装置の光源装置として用いることが可能である。
【符号の説明】
【００４３】
１０，２０，３０，４０      複数レーザ同軸化光源装置
１１，２１，２１Ａ，３１，４１      半導体レーザアレイ
１２Ｒ，２２Ｒ，３２Ｒ，４２Ｒ      第１の発光点
１２Ｇ，２２Ｇ，３２Ｇ，４２Ｇ      第２の発光点
１２Ｂ，２２Ｂ，３２Ｂ，４２Ｂ      第３の発光点
１３，２３，３３，４３      コリメータレンズ
１４，２４，３４，４４      パルス点灯制御手段
１５，２５，３５，４５      相対位置制御手段
１６，２６，３６，４６      軸ずれ制御手段
Ｃ１３，Ｃ２３，Ｃ３３，Ｃ４３      （コリメータレンズ）の光軸
Ｃ１２Ｒ，Ｃ２２Ｒ，Ｃ３２Ｒ      （第１の発光点から出射されたレーザ光の）軸
Ｃ１２Ｇ，Ｃ２２Ｇ，Ｃ３２Ｇ      （第２の発光点から出射されたレーザ光の）軸
Ｃ１２Ｂ，Ｃ２２Ｂ，Ｃ３２Ｂ      （第３の発光点から出射されたレーザ光の）軸
Ａ１２Ｒ，Ａ１２Ｇ，Ａ１２Ｒ，Ａ４２Ｒ，Ａ４２Ｇ，Ａ４２Ｒ      （レーザ光の）通過領域
Ｐ１，Ｐ２      （レーザ光の通過領域の）重なり部分
【図１】
2011165715.tif 000003
【図２】
2011165715.tif 000004
【図３】
2011165715.tif 000005
【図４】
2011165715.tif 000006
【図５】
2011165715.tif 000007
【図６】
2011165715.tif 000008
【図７】
2011165715.tif 000009